(57)【要約】【課題】消火装置の組立てライン上でも容易にかつ低コストで接続でき、しかも気密状に確実に接続できる消火薬剤流通管の接続装置を提供する。【解決手段】銅管よりなる消火薬剤流通管７の一端部を朝顔形状に拡開させたフレアー部１８内に圧入可能な外周テーパー面１６を有するインナー部材１７と、消火薬剤流通管７に外嵌され、フレアー部１８の外周面に対応する内周テーパー面１９を内径部に有する押輪２２とを備える。接続対象部材の一つである火災感知式ノズル８の雄ねじ２０に押輪２２をねじ込むと、インナー部材１７の外周テーパー面１６と押輪２２の内周テーパー面１９との間で消火薬剤流通管７のフレアー部１８が気密状に挟持される接続状態が得られる。【選択図】　　　図２
2004097454.tif 000002
【特許請求の範囲】
【請求項１】
接続対象部材に消火薬剤流通管の一端部を接続する消火薬剤流通管の接続装置を備えた消火装置において、
前記消火薬剤流通管の一端部を拡開させたフレアー部の内部に圧入可能な外周テーパー面を先端に有し且つ消火薬剤流通路を中心に有するインナー部材と、前記消火薬剤流通管に外嵌され、内径部に前記フレアー部の外周面に対応する内周テーパー面を有する押輪とを備えており、
前記押輪を前記接続対象部材にねじ込むことにより前記インナー部材の外周テーパー面と前記押輪の内周テーパー面との間で前記消火薬剤流通管のフレアー部を気密状に挟持してあることを特徴とする、消火薬剤流通管の接続装置を備えた消火装置。
【請求項２】
押輪の接続対象部材に対するねじ込み手段が、押輪と接続対象部材に互いに螺合し合うよう設けた雌ねじ及び雄ねじからなる、請求項１記載の消火薬剤流通管の接続装置を備えた消火装置。
【請求項３】
火災感知式のノズルと、このノズルの接続口部の内部に嵌め込まれ、消火薬剤流通管の一端部を拡開させたフレアー部内に圧入可能な外周テーパー面を先端に有し且つ消火薬剤流通路を中心に有するインナー部材と、前記消火薬剤流通管に外嵌され、前記フレアー部の外周面に対応する内周テーパー面、及び前記ノズル本体の接続口部の外周の雄ねじに螺合する雌ねじを内径部に有する押輪とを備えており、
前記押輪を前記ノズル本体に締め付けることにより前記インナー部材の外周テーパー面と前記押輪の内周テーパー面との間で前記消火薬剤流通管のフレアー部を気密状に挟持してあることを特徴とする、消火薬剤流通管の接続装置を備えた消火装置。
【発明の詳細な説明】
【０００１】
【発明の属する技術分野】
本発明は、消火薬剤流通管の接続装置を備えた消火装置に係り、より詳しくは、例えば、台所等に設置され、天ぷら油火災等の消火に用いる火災感知式ノズルと、蓄圧式消火器の口部に装着したバルブとを銅管等の消火薬剤流通管で接続する簡易消火装置において、消火薬剤流通管の端部を前記火災感知式ノズルに接合する消火薬剤流通管の接続装置に関する。
【０００２】
【従来の技術】
例えば、天ぷら油火災等の消火に使用される簡易消火装置（例えば、特許文献１参照。）において、家庭用ガスレンジの上方等に配備される火災感知式ノズルと銅管よりなる消火薬剤流通管の一端部とは、通常、ろう付けにより接合されている。
【０００３】
【特許文献１】
特開２０００−２８８１１２号公報（第４頁、図１）
【０００４】
【発明が解決しようとする課題】
しかしながら、上記消火薬剤流通管と火災感知式ノズルとのろう付け作業は、高度な技術が要求されるため、消火装置の組立てラインとは別途に行う必要があり、コスト的にも高価であった。また熟練者でないと信頼性の高いものは得難かった。
【０００５】
そこで、本発明の目的は、上記のようなろう付け作業を省け、消火装置部品の組立てライン上でも容易にかつ低コストで接続でき、しかも気密状に確実に接続できる消火薬剤流通管の接続装置を備えた消火装置を提供することにある。
【０００６】
【課題を解決するための手段】
本発明の請求項１に係る発明は、接続対象部材に銅管等よりなる消火薬剤流通管の一端部を接続する消火薬剤流通管の接続装置を備えた消火装置において、前記消火薬剤流通管の一端部を拡開させたフレアー部の内部に圧入可能な外周テーパー面を先端に有し且つ消火薬剤流通路を中心に有するインナー部材と、前記消火薬剤流通管に外嵌され、内径部に前記フレアー部の外周面に対応する内周テーパー面を有する押輪とを備えており、前記押輪を前記接続対象部材にねじ込むことにより前記インナー部材の外周テーパー面と前記押輪の内周テーパー面との間で前記消火薬剤流通管のフレアー部を気密状に挟持してあることに特徴を有するものである。
【０００７】
この場合において、上記押輪の接続対象部材に対するねじ込み手段は、請求項２記載の発明のように、押輪と接続対象部材に互いに螺合し合うよう設けた雌ねじ及び雄ねじにより構成することができる。
また、上記接続対象部材としては、例えば、火災感知ノズルなどである。
【０００８】
上記構成の消火薬剤流通管の接続装置を備えた消火装置によれば、押輪を接続対象部材にねじ込んで締め付けるという簡単な作業で消火薬剤流通管のフレアー部を接続対象部材にインナー部材を介して気密状に接続できる。
【０００９】
請求項３に係る発明の消火薬剤流通管の接続装置を備えた消火装置は、火災感知式のノズルと、このノズルの接続口部の内部に嵌め込まれ、銅管等よりなる消火薬剤流通管の一端部を拡開させたフレアー部内に圧入可能な外周テーパー面を先端に有し且つ消火薬剤流通路を中心に有するインナー部材と、前記消火薬剤流通管に外嵌され、前記フレアー部の外周面に対応する内周テーパー面、及び前記ノズル本体の接続口部の外周の雄ねじに螺合する雌ねじを内径部に有する押輪とを備えており、前記押輪を前記ノズル本体に締め付けることにより前記インナー部材の外周テーパー面と前記押輪の内周テーパー面との間で前記消火薬剤流通管のフレアー部を気密状に挟持してあることに特徴を有するものである。
【００１０】
上記構成の消火薬剤流通管の接続装置を備えた消火装置によれば、押輪をノズル本体にねじ込んで締め付けるという簡単な作業で消火薬剤流通管のフレアー部をノズル本体の接続口部側端にインナー部材を介して気密状に接続できる。
また、インナー部材はノズル本体の接続口部の内部に嵌め込むので、インナー部材をノズル本体に、火災感知式ノズルの長大化を招くことなく組み付けられ、火災感知式ノズル全長の短縮化を図り得る。
【００１１】
【発明の実施の形態】
以下、本発明に係る消火薬剤流通管の接続装置を備えた消火装置の好適な実施形態を図面に基づき説明する。図１は本発明の消火薬剤流通管の接続装置を蓄圧式消火器に適用した場合の縦断正面図、図２は図１の消火薬剤流通管の一端部と火災感知式ノズルとの接続部分の断面図、図３は図１の消火薬剤流通管の他端部と消火器のバルブとの接続部分の断面図である。
【００１２】
図１において、１は蓄圧式の消火器、２は粉末又は液体の消火薬剤と共にこの消火薬剤を噴出させるための圧縮空気や窒素ガス等の加圧用ガスが充填された本体容器、３は本体容器２の口部にキャップ４で装着されたバルブ、５はバルブ３に備えた圧力注入口、６はバルブ３に取付けた圧力ゲージ、７はバルブ３に接続された銅管よりなる消火薬剤流通管、８は消火薬剤流通管７の一端部に接続された天ぷら油火災等の消火に用いる火災感知式のノズルである。
【００１３】
火災感知式ノズル８それ自体は、周知のものであって、図２に示すように、円筒形状のノズル本体９の先端部のノズル口１０に火災感知部８ａを備える。火災感知部８ａは、ノズル口１０を栓１１で塞ぎ、栓１０による閉塞状態をノズル口１０の外周に嵌合した受熱板保持具１２に半田付けされた受熱板１３で保持しており、火災熱により受熱板１３の半田付け部分が溶融すると栓１１がノズル本体９内に封入されている加圧用ガス圧により飛び出し、ノズル口１０が開放されるというものである。ノズル本体９の内部には消火薬剤にらせん流を付与するための回転スクリュー部材１４が収容されている。
【００１４】
本例では、接続対象部材である上記火災感知式ノズル８の、ノズル口１０とは反対側の接続口部１５に、銅管よりなる消火薬剤流通管７の一端部を接続する装置として、次のような構成を採用したことに特徴を有するものである。
【００１５】
すなわち、上記接続装置では、図２に示すように、消火薬剤流通管７の一端部を朝顔形状に拡開させたフレアー部１８内に圧入可能なインナー部材１７と、消火薬剤流通管７に外嵌される押輪２２を用意する。インナー部材１７は、短円筒形状に形成されて中心に消火薬剤流通路１７ａを有し、且つ先端に消火薬剤流通管７のフレアー部１８の内面形状に対応する外周テーパー面１６を設けている。一方、押輪２２の内径部にはノズル本体９の接続口部１５の外周の雄ねじ２０に螺合する雌ねじ２１と、この雌ねじ２１の内奥端に消火薬剤流通管７のフレアー部１８の外周面に対応する内周テーパー面１９を設けている。
【００１６】
インナー部材１７はノズル本体９の接続口部１５の内部の回転スクリュー部材１４の後方に嵌め込まれる。その際、インナー部材１７はこれの外周の先端寄りに設けた嵌め込み深さ規制用の段部２３が接続口部１５の開口端面１５ａに係合するまで嵌め込まれ、これにより外周テーパー面１６以外の大部分が接続口部１５内に収まるように、また回転スクリュー部材１４の後方との間に空隙部２４を形成するように嵌め込まれる。またインナー部材１７の外周面と接続口部１５の内周面との間の隙間はインナー部材１７の外周に嵌め込まれたＯリング２５により気密状に保持される。
【００１７】
かくして、火災感知式ノズル８の接続口部１５側端に消火薬剤流通管７のフレアー部１８を接続するには、消火薬剤流通管７に押輪２２を外嵌し、この押輪２２の雌ねじ２１を接続口部１５の外周の雄ねじ２０にねじ込んで締め付ける。すると、押輪２２の内周テーパー面１９により消火薬剤流通管７のフレアー部１８がインナー部材１７の外周テーパー面１６に圧入されながら強く押し付けられるので、インナー部材１７の外周テーパー面１６と押輪２２の内周テーパー面１９との間で消火薬剤流通管７のフレアー部１８が気密状に挟持される接続状態が得られる。
【００１８】
インナー部材１７は、上記のようにノズル本体９の接続口部１５内に嵌め込まれ、より好ましくは外周テーパー面１６以外の大部分がノズル本体９の接続口部１５内に収まるように嵌め込まれる。したがって、インナー部材１７を火災感知式ノズル８に組付けるに際し火災感知ノズル８の長大化を招くようなことはなく、火災感知ノズル８の全長の短縮化に役立つというものである。
【００１９】
本発明の消火薬剤流通管の接続装置を備えた消火装置は、図３に示すように、接続対象部材である消火器１のバルブ３に、消火薬剤流通管７の他端部を接続する場合にも適用できる。この場合、バルブ３の上端からインナー部材２６を一体に突設する一方、消火薬剤流通管７に外嵌される押輪２２を用意する。インナー部材２６はこれの中心にバルブ３の消火薬剤流通路２７と連通する消火薬剤流通路２８を有し、外周に雄ねじ２０を設けるとともに、先端に消火薬剤流通管７の他端のフレアー部１８に圧入可能な外周テーパー面１６を設けている。押輪２２の内径部にはインナー部材２６の外周の雄ねじ２０に螺合する雌ねじ２１と、この雌ねじ２１の内奥端に消火薬剤流通管７のフレアー部１８の外周面に対応する内周テーパー面１９を設けている。
【００２０】
かくして、消火薬剤流通管７の他端のフレアー部１８を消火器１のバルブ３に接続するには、消火薬剤流通管７に押輪２２を外嵌し、この押輪２２の雌ねじ２１をインナー部材２６の外周の雄ねじ２０にねじ込んで締め付けると、上記実施例の場合と同様に、押輪２２の内周テーパー面１９により消火薬剤流通管７のフレアー部１８がインナー部材２６の外周テーパー面１６に圧入されながら強く押し付けられるので、インナー部材２６の外周テーパー面１６と押輪２２の内周テーパー面１９との間で消火薬剤流通管７のフレアー部１８が気密状に挟持される接続状態が得られる。
【００２１】
上記消火薬剤流通管７の接続対象部材としては、上記火災感知式のノズル８や消火器１のバルブ３に限られず、その他に、例えば、火災感知部８ａ及びノズル口１０の栓１１によるシール機構を持たない開放型の消火液噴霧ノズル等にも適用できる。また、上記消火薬剤流通管７は銅管以外に、ポリブデン等のような可撓性、不燃性樹脂管などを使用することもできる。さらに、消火薬剤は、水であっても消火ガスであってもよく、したがって、消火装置としても、スプリンクラーあるいはガス系の消火装置であってもよい。
【００２２】
【発明の効果】
本発明によれば、火災感知式ノズル等の接続対象部材に押輪をねじ込むという簡単な作業で消火薬剤流通管のフレアー部を接続対象部材に気密状に確実に接続でき、消火装置組立てライン上でも容易にかつ低コストで組立てられる点で従来のろう付け作業に比して有利である。
【図面の簡単な説明】
【図１】本発明の消火薬剤流通管の接続装置を蓄圧式消火器に適用した場合の縦断正面図である。
【図２】図１の消火薬剤流通管の一端部と火災感知式ノズルとの接続部分の断面図である。
【図３】図１の消火薬剤流通管の他端部と消火器のバルブとの接続部分の断面図である。
【符号の説明】
１　消火器
２　本体容器
３　バルブ
７　消火薬剤流通管
８　火災感知式ノズル
９　ノズル本体
１５　接続口部
１６　外周テーパー面
１７，２６　インナー部材
１７ａ，２８　消火薬剤流通路
１８　フレアー部
１９　内周テーパー面
２０　雄ねじ
２１　雌ねじ
２２　押輪
【図１】
2004097454.tif 000003
【図２】
2004097454.tif 000004
【図３】
2004097454.tif 000005